(57)【特許請求の範囲】
【請求項１】
生活用水が貯水される生活用水タンクと、
雑用水が貯水される雑用水タンクと、
が備えられた施設における生活用水の管理方法であって、
前記生活用水タンクと前記雑用水タンクとを、途中にバルブが設けられた配管を介して連結し、
平時は前記生活用水タンクに上水を供給するとともに前記バルブは閉じておき、
前記雑用水タンクに浄化装置を併設し、
前記浄化装置を平時に作動させて前記雑用水タンクの水を浄化しておき、
緊急時に前記バルブを開放して前記浄化装置により浄化した前記雑用水タンクの水を前記生活用水タンクに給水するようにする
ことを特徴とする生活用水の管理方法。
【請求項２】
請求項１に記載の生活用水の管理方法であって、
前記雑用水タンクに、
当該雑用水タンクに貯水されている水の濁度を計測する濁度検知器と、
前記濁度検知器によって計測された濁度に応じて前記浄化装置の動作を制御する制御装置を設ける
ことを特徴とする生活用水の管理方法。
【請求項３】
請求項１又は２に記載の生活用水の管理方法であって、
消火用水を取水するための第１の取水口を前記雑用水タンクの底面に設け、
前記生活用水タンクに供給する水を取水するための第２の取水口を前記雑用水タンクに設け、
前記第２の取水口を、前記消火用水として確保すべき量の水を前記雑用水タンクに貯水したときの水面高さよりも高い位置に設ける
ことを特徴とする生活用水の管理方法。
【請求項４】
請求項１乃至３のいずれか一項に記載の生活用水の管理方法であって、
前記雑用水タンクの水を前記生活用水タンクに導く第１の流路を設けるとともに前記生活用水タンクの水を前記雑用水タンクに導く第２の流路を設け、
前記雑用水タンクの水を前記第１の流路を通じて前記生活用水タンクに給水するとともに前記生活用水タンクの水を前記第２の流路を通じて前記雑用水タンクに給水する
ことを特徴とする生活用水の管理方法。
【発明の詳細な説明】
【技術分野】
【０００１】
この発明は、生活用水の管理方法に関し、平時における管理負担を軽減しつつ、災害発生時等の緊急時において、施設において必要とされる生活用水を確実に供給できるようにするための技術に関する。
【背景技術】
【０００２】
災害発生時に必要とされる生活用水を確保する技術に関し、例えば、特許文献１には、住宅に併設され災害時用に生活用水を備蓄する上水貯水槽から浴槽への給水を毎日行い、その後、遅滞なく上水を上水貯水槽に給水することにより常に新鮮な上水を確保し、断水時はバルブを切り替えて浴槽への給水を止め、上水貯水槽の上水を炊事用に非常使用することが記載されている。
【先行技術文献】
【特許文献】
【０００３】
【特許文献１】特開２０１０−１５０７９０号公報
【発明の概要】
【発明が解決しようとする課題】
【０００４】
ところで、本発明者らが運用を行っている原子力発電所の免震重要棟等のように、必要とされる生活用水（上水：飲用水、除染用シャワー水等）の量が状況により極端に変動するような施設においては（例えば、免震重要棟では平時の活動要員数は１０名程度であるが、災害発生時等の緊急時の対応要員数は３００名程度になり、平時と緊急時とで生活用水の必要量の差が大きい）、平時から緊急時（非常時）に備えて必要量の生活用水を確保されるようにしようとすると無駄や管理負担が大きく、また雑菌繁殖などの衛生管理の面も問題となる。
【０００５】
本発明はこのような背景に鑑みてなされたもので、平時における管理負担を軽減しつつ、緊急時において、施設において必要とされる生活用水を確実に供給することが可能な生活用水の管理方法を提供することを目的とする。
【課題を解決するための手段】
【０００６】
上記目的を達成するための本発明の一つは、生活用水が貯水される生活用水タンクと、  雑用水が貯水される雑用水タンクと、が備えられた施設における生活用水の管理方法であって、前記生活用水タンクと前記雑用水タンクとを、途中にバルブが設けられた配管を介して連結し、平時は前記生活用水タンクに上水を供給するとともに前記バルブは閉じておき、前記雑用水タンクに浄化装置を併設し、前記浄化装置を平時に作動させて前記雑用水タンクの水を浄化しておき、緊急時に前記バルブを開放して前記浄化装置により浄化した前記雑用水タンクの水を前記生活用水タンクに給水するようにすることとする。
【０００７】
本発明によれば、平時における管理負担を軽減しつつ、緊急時において、施設において必要とされる生活用水を確実に供給することができる。
【０００９】
このように浄化装置を平時においても作動させることで、緊急時において迅速に生活用水を供給することができる。また緊急時における浄化装置の運転負荷を軽減することができる。
【００１０】
また本発明のうちの他の一つでは、前記雑用水タンクに、当該雑用水タンクに貯水されている水の濁度を計測する濁度検知器と、前記濁度検知器によって計測された濁度に応じて前記浄化装置の動作を制御する制御装置を設けることとする。
【００１１】
本発明によれば、不必要に浄化装置を作動させることがなくなり、浄化装置を効率よく稼働させることができる。
【００１２】
本発明のうちの他の一つでは、消火用水を取水するための第１の取水口を前記雑用水タンクの底面に設け、前記生活用水タンクに供給する水を取水するための第２の取水口を前記雑用水タンクに設け、前記第２の取水口を、前記消火用水として確保すべき量の水を前記雑用水タンクに貯水したときの水面高さよりも高い位置に設けることとする。
【００１３】
本発明によれば、消防法等の法定で規定される量の消火用水を常時確保しておくことができる。
【００１４】
また本発明のうちの他の一つでは、前記雑用水タンクの水を前記生活用水タンクに導く第１の流路を設けるとともに前記生活用水タンクの水を前記雑用水タンクに導く第２の流路を設け、前記雑用水タンクの水を前記第１の流路を通じて前記生活用水タンクに給水するとともに前記生活用水タンクの水を前記第２の流路を通じて前記雑用水タンクに給水し、前記浄化装置により前記第１の流路を流れる水を浄化することとする。
【００１５】
このように生活用水タンクから雑用水タンクに対して水を供給するようにすることで、雑用水タンクの水の濁度を積極的に低下させることができ、浄化装置の運転負荷を軽減することができる。また濁度が低下することで雑菌繁殖を抑える効果も期待できる。
【００１６】
その他、本願が開示する課題、及びその解決方法は、発明を実施するための形態の欄、及び図面により明らかにされる。
【発明の効果】
【００１７】
本発明によれば、平時における管理負担を軽減しつつ、緊急時において、施設において必要とされる生活用水を確実に供給することができる。
【図面の簡単な説明】
【００１８】
【図１】生活用水管理システム１の概略的な構成を示す図である。
【図２】平時における生活用水の管理方法を説明する図である。
【図３】緊急時における生活用水の管理方法を説明する図である。
【図４】生活用水管理システム１の他の態様を示す図である。
【図５】生活用水管理システム１の他の態様を示す図である。
【図６】生活用水管理システム１の他の態様を示す図である。
【発明を実施するための形態】
【００１９】
図１に実施形態として説明する生活用水管理システム１の概略的な構成を示している。生活用水管理システム１は、平時と緊急時（地震、台風、火災などの災害発生時）とでその利用人数が大きく変動するような施設５（例えば、本発明者らが運用を行っている原子力発電所の免震重要棟や緊急避難等）に設けられる。
【００２０】
同図に示すように、生活用水管理システム１は、生活用水タンク１０、雑用水タンク２０、及び浄化装置３０を含む。このうち生活用水タンク１０には、飲用水、除染用シャワー水等の衛生的に管理された生活用水が貯水される。また雑用水タンク２０には、清掃用水、トイレ用水等の雑用水が貯水される。
【００２１】
同図に示すように、生活用水タンク１０と雑用水タンク２０とは、配管４０を介して連結されている。配管４０の一部には、配管４０を流れる水の流量を調節するためのバルブ４１が設けられている。尚、図示していないが、生活用水管理システム１は、配管４０に水を搬送するための搬送機構（ポンプ等）を要所に備えている。
【００２２】
生活用水タンク１０には、上水道等の給水設備３から上水が供給される。生活用水タンク１０の容量は、当該施設５で平時において必要とされる量の生活用水（例えば、本発明者らが運用する原子力発電所の免震重要棟においては、平時において１０ｍ３〜２０ｍ３の生活用水が必要とされる。）を貯水するのに十分な大きさに設定されている。
【００２３】
一方、雑用水タンク２０には、上水道、河川、湖などの水源４から水が供給される。雑用水タンク２０の容量は、生活用水タンク１０の容量よりも十分に大きく、例えば、生活用水タンク１０の数十倍程度の容量（例えば、本発明者らが運用する原子力発電所の免震重要棟には１００ｍ３〜１２０ｍ３程度の容量の雑用水タンク２０を設置している。）を有する。
【００２４】
雑用水タンク２０には、雑用水タンク２０に貯水されている水を浄化する浄化装置３０が併設されている。浄化装置３０は、例えば、中空糸膜フィルタ、イオン交換フィルタ、循環ポンプなどを備えて構成されている。尚、雑用水タンク２０の内部が撹拌されるなどして浄化した水に錆などの不純物が混入するようなことがないように、浄化装置３０は適切な構造のものを適切な状態で設置することが好ましい。
【００２５】
図２に施設５での平時における生活用水の管理方法を示している。同図に示すように、平時においては、給水設備３から生活用水タンク１０に必要量の上水が供給される（符号１５（１））。また雑用水タンク２０には、水源４から雑用水が供給される（符号１５（２））。尚、平時においてはバルブ４１は閉じられている。
【００２６】
図３に緊急時における生活用水の管理方法を示している。同図に示すように、緊急時において、給水設備３からの水の供給が減少もしくは途絶して生活用水タンク１０だけでは必要量の生活用水を賄うことができなくなると（符号１６（１））、浄化装置３０を作動させて雑用水タンク２０に貯水されている雑用水を浄化し、バルブ４１を開放して浄化した水を生活用水タンク１０に供給する（符号１６（３））。
【００２７】
尚、浄化装置３０を効率よく運用するため、例えば、図４に示すように、雑用水タンク２０に濁度検知器６０を設け、浄化装置３０並びに濁度検知器６０の夫々と通信可能に制御装置７０を接続し、制御装置７０が、濁度検知器６０により測定される濁度に応じて浄化装置３０を作動させるようにするようにしてもよい（例えば、濁度が所定の閾値を超えている場合にのみ浄化装置３０を作動（機能）させるようにする。）。
【００２８】
浄化装置３０は緊急時に限らず、平時においても作動させるようにしてもよい。平時においても浄化装置３０を作動させることで、緊急時において、浄化水を迅速に生活用水タンク１０に供給することができる。
【００２９】
また浄化装置３０は、例えば、図５に示すように雑用水タンク２０から生活用水タンク１０に水を導く配管４０（第１の流路）の途中に設けてもよい。また生活用水タンク１０から雑用水タンク２０に水を導く配管８０（第２の流路）をさらに設け、例えば、平時に生活用水タンク１０から雑用水タンク２０に上水を供給して雑用水タンク２０に貯水されている水の濁度を低下させるようにしてもよい。これによれば浄化装置３０の運転負荷を軽減することができ、また濁度が低下することで雑菌繁殖を抑える効果も期待できる。尚、この場合において、緊急時は生活用水タンク１０から雑用水タンク２０への上水の供給を停止してもよいし、生活用水タンク１０の水が不足しない程度に生活用水タンク１０から雑用水タンク２０に上水を供給するようにしてもよい。
【００３０】
また例えば、図６に示すように、雑用水タンク２０に消火用水を取水するための配管５０を設けてもよい。この例では、雑用水タンク２０の底面に第１の取水口２５を設けてここに配管５０の一端を接続している。配管５０の他端は、例えば、ポンプ等の搬送機構に連結される。同図に示すバルブ５１は、配管５０を流れる水の流量調節用である。尚、この場合、同図に示すように、雑用水タンク２０に、消防法等で規定される必要量（例えば５．２ｍ３）の消火用水を当該雑用水タンク２０に満たした場合における水面高さｈよりも高い位置に第２の取水口２６を設け、これに配管４０を接続するようにすれば、上記必要量の消火用水が常時確保されるようにすることができる。
【００３１】
以上に説明したように、本実施形態の生活用水管理システム１によれば、緊急時において、施設５において必要とされる生活用水を確実に供給することができる。また平時から緊急時に備えて生活用水を管理しておく必要がないため、人的、コスト的な管理負担が少なく、また雑菌繁殖等に対する衛生面での管理負担も生じない。また雑用水タンク２０が多目的に利用されることになるため、施設５内のスペースの有効利用も図られる。
【００３２】
尚、以上に説明した実施形態の説明は、本発明の理解を容易にするためのものであり、本発明を限定するものではない。本発明はその趣旨を逸脱することなく、変更、改良され得ると共に本発明にはその等価物が含まれることは勿論である。
【符号の説明】
【００３３】
１  生活用水管理システム
３  給水設備
１０  生活用水タンク
２０  雑用水タンク
２５  第１の取水口
２６  第２の取水口
３０  浄化装置
【図１】
0005608768.tif 000002
【図２】
0005608768.tif 000003
【図３】
0005608768.tif 000004
【図４】
0005608768.tif 000005
【図５】
0005608768.tif 000006
【図６】
0005608768.tif 000007